(57)【要約】【課題】本発明は、簡易な構成によりビビリ音の発生が抑制された携帯電子機器を提供することを目的とする。【解決手段】携帯電話機１は、フロントケース２ａと、フロントケース２ａの外側に配置され切り欠き部２６０を有するリアケース２ｂと、フロントケース２ａとリアケース２ｂとの間に配置され、切り欠き部４６０を介して外部に露出される押圧部３１０と、抜け止め部３２０とを有するサイドキー部材１６ｂと、フロントケース２ａとサイドキー部材１６ｂとの間に配置されるキーシート４０Ｃと、キーシート４０Ｃとサイドキー部材１６ｂとの間に弾性力を有した状態で配置され、抜け止め部３２０がリアケース２ｂにおける内面に当接した状態となるようサイドキー部材１６ｂをリアケース２ｂにおける内面に向かうよう付勢するスポンジ部材と、を備える。【選択図】図４
2012114609.tif 000002
【特許請求の範囲】
【請求項１】
第１貫通孔が形成された第１ケース部材と、
前記第１ケース部材に収容されるキー基板と、
前記キー基板に実装されると共に、前記第１貫通孔に対向して配置されるスイッチ部と、
前記第１ケース部材における外側に配置され、第２貫通孔又は切り欠き部が形成された第２ケース部材と、
前記第１ケース部材と前記第２ケース部材との間に配置され、
前記第１貫通孔に挿入される突起部と、
前記第２貫通孔又は前記切り欠き部を介して外部に露出される押圧面を有する押圧部と、
前記押圧部の外縁に形成され、前記第２ケース部材における内面に当接可能な抜け止め部と、を有するキー部材と、
前記第１ケース部材と前記キー部材との間に配置される平面状の平面部と、前記スイッチ部と前記突起部との間に配置され前記第１貫通孔に挿入される挿入部と、を有するキーシートと、
前記キーシートにおける前記平面部と前記キー部材との間に弾性力を有した状態で配置され、前記抜け止め部が前記第２ケース部材における内面に当接した状態となるよう前記キー部材を前記第２ケース部材における内面に向かうよう付勢する弾性部材と、を備える
携帯電子機器。
【請求項２】
前記押圧部における前記押圧面と反対側の面は、前記キーシートにおける前記平面部と離間して配置される
請求項１に記載の携帯電子機器。
【請求項３】
前記キー部材は、内面側に形成される凹部を有し、
前記弾性部材は、一部が前記凹部に収容配置される
請求項１又は２に記載の携帯電子機器。
【請求項４】
前記キー部材における前記押圧面が外部から押圧されていない状態において、
前記突起部は、前記キーシートから離間して配置される
請求項１から３のいずれかに記載の携帯電子機器。
【請求項５】
第１貫通孔が形成された第１ケース部材と、
前記第１ケース部材に収容されるキー基板と、
前記キー基板に実装されると共に、前記第１貫通孔に対向して配置されるスイッチ部と、
前記第１ケース部材における外側に配置され、第２貫通孔又は切り欠き部が形成された第２ケース部材と、
前記第１ケース部材と前記第２ケース部材との間に配置され、
前記第１貫通孔に挿入される突起部と、
前記第２貫通孔又は前記切り欠き部を介して外部に露出される押圧面を有する押圧部と、
前記押圧部の外縁に形成され、前記第２ケース部材における内面に当接可能な抜け止め部と、を有するキー部材と、
前記第１ケース部材と前記キー部材との間に弾性力を有した状態で配置され、前記抜け止め部が前記第２ケース部材における内面に当接した状態となるよう前記キー部材を前記第２ケース部材における内面に向かうよう付勢する弾性部材と、を備える
携帯電子機器。
【発明の詳細な説明】
【技術分野】
【０００１】
本発明は、携帯電子機器等の携帯電子機器に関する。
【背景技術】
【０００２】
従来、携帯電子機器としての携帯電話機において、サイドキーを有するタイプが存在する。また、携帯電話機において、防水機能を有するタイプが存在する。
ここで、防水機能を有する携帯電話機におけるサイドキーの構造として、下ケースの側面に形成された穴部に、金属及びゴム一体のサイドキーパッキンを嵌め込んで、キートップを押すとサイドキーパッキンを介して、下ケース内のキースイッチが押されることが可能な構造（を有する携帯電話機）が提案されている（例えば、特許文献１参照）。
【０００３】
また、近年、サイドキーパッキンを用いることなく、キーシート（ラバーシート）をケースとキートップとの間に配置することで、防水機能を有する携帯電話機が存在する。このタイプの携帯電話機は、キートップの押し子が下ケースの穴部にキーシートと共に挿通配置され、キーシートごとスイッチを押下する構造を有する。
【先行技術文献】
【特許文献】
【０００４】
【特許文献１】特開２００８−８５１４０号公報
【発明の概要】
【発明が解決しようとする課題】
【０００５】
しかし、従来の携帯電話機において、キートップは、ユーザからの押圧操作により移動するよう構成される必要があるので、（押し子の部分は除いて）キーシートからキーストローク分だけ離間している必要がある。つまり、キートップは、携帯電話機の内部部材（例えば、バイブレータ）により生じる振動により、容易に振動する場合がある。この場合、いわゆるビビリ音（ビリビリとした音、ビリツキ音）が発生する。
【０００６】
このビビリ音の発生を抑制するには、キーシートやキートップの外部配置される外部カバーにキートップを常時押し当てられるように設計（製造）する必要がある。
この場合、設計誤差を非常に小さくする必要がある。寸法誤差が大きい場合、キートップが過剰な押圧力でキーシートに押し当てられたり、外部カバーから離れて配置されたりする。そうすると、スイッチ部が勝手に押下されたり、ビビリ音の発生が解消されなかったりする。
【０００７】
本発明は、簡易な構成によりビビリ音の発生が抑制された携帯電子機器を提供することを目的とする。
【課題を解決するための手段】
【０００８】
本発明は、第１貫通孔が形成された第１ケース部材と、前記第１ケース部材に収容されるキー基板と、前記キー基板に実装されると共に、前記第１貫通孔に対向して配置されるスイッチ部と、前記第１ケース部材における外側に配置され、第２貫通孔又は切り欠き部が形成された第２ケース部材と、前記第１ケース部材と前記第２ケース部材との間に配置され、前記第１貫通孔に挿入される突起部と、前記第２貫通孔又は前記切り欠き部を介して外部に露出される押圧面を有する押圧部と、前記押圧部の外縁に形成され、前記第２ケース部材における内面に当接可能な抜け止め部と、を有するキー部材と、前記第１ケース部材と前記キー部材との間に配置される平面状の平面部と、前記スイッチ部と前記突起部との間に配置され前記第１貫通孔に挿入される挿入部と、を有するキーシートと、前記キーシートにおける前記平面部と前記キー部材との間に弾性力を有した状態で配置され、前記抜け止め部が前記第２ケース部材における内面に当接した状態となるよう前記キー部材を前記第２ケース部材における内面に向かうよう付勢する弾性部材と、を備える携帯電子機器に関する。
【０００９】
また、前記押圧部における前記押圧面と反対側の面は、前記キーシートにおける前記平面部と離間して配置されることが好ましい。
【００１０】
また、前記キー部材は、内面側に形成される凹部を有し、前記弾性部材は、一部が前記凹部に収容配置されることが好ましい。
【００１１】
また、前記キー部材における前記押圧面が外部から押圧されていない状態において、前記突起部は、前記キーシートから離間して配置されることが好ましい。
【００１２】
本発明は、第１貫通孔が形成された第１ケース部材と、前記第１ケース部材に収容されるキー基板と、前記キー基板に実装されると共に、前記第１貫通孔に対向して配置されるスイッチ部と、前記第１ケース部材における外側に配置され、第２貫通孔又は切り欠き部が形成された第２ケース部材と、前記第１ケース部材と前記第２ケース部材との間に配置され、前記第１貫通孔に挿入される突起部と、前記第２貫通孔又は前記切り欠き部を介して外部に露出される押圧面を有する押圧部と、前記押圧部の外縁に形成され、前記第２ケース部材における内面に当接可能な抜け止め部と、を有するキー部材と、前記第１ケース部材と前記キー部材との間に弾性力を有した状態で配置され、前記抜け止め部が前記第２ケース部材における内面に当接した状態となるよう前記キー部材を前記第２ケース部材における内面に向かうよう付勢する弾性部材と、を備える携帯電子機器に関する。
【発明の効果】
【００１３】
本発明によれば、簡易な構成によりビビリ音の発生が抑制された携帯電子機器を提供することができる。
【図面の簡単な説明】
【００１４】
【図１】携帯電話機１を開いた状態における外観斜視図である。
【図２】操作部側筐体２を構成する部材を説明する分解斜視図である。
【図３】表示部側筐体３を構成する部材を説明する分解斜視図である。
【図４】図１におけるＡ―Ａ断面図である。
【図５】携帯電話機１における作用を説明する断面図である。
【図６】携帯電話機１における作用と説明する断面図である。
【発明を実施するための形態】
【００１５】
以下、図面を参照して本発明を実施するための形態を説明する。
図１により、携帯電子機器としての携帯電話機１における基本構造を説明する。図１は、携帯電話機１を開いた状態における外観斜視図を示す。
【００１６】
図１に示すように、携帯電話機１は、操作部側筐体２と、表示部側筐体３と、を備える。また、携帯電話機１は、操作部側筐体２と表示部側筐体３とを開閉可能に連結する連結部４を備える。
携帯電話機１は、開状態と閉状態とに状態変化（変形）可能に構成される。ここで、閉状態とは、操作部側筐体２と表示部側筐体３とが互いに重なるように配置された状態であり、詳細には、両筐体における所定の面同士が対向するように配置された状態である
【００１７】
操作部側筐体２は、操作部側内面２Ａと、操作部側外面２Ｂとを有する。操作部側内面２Ａは、携帯電話機１が閉状態において表示部側筐体３の表示部側内面３Ａと対向して配置される面である。
操作部側筐体２は、外面（外郭）がフロントケース２ａと、リアケース２ｂと、バッテリカバー２ｃとにより構成される。
操作部側筐体２には、操作キー群１１と、使用者が通話時に発した音声が入力される音声入力部１２と、主電源操作部１９とがそれぞれ外部に露出して配置される。本実施形態において、操作キー群１１（サイドキー１６除く）と、音声入力部１２と、主電源操作部１９とは、操作部側筐体２における操作部側内面２Ａに並んで配置される。
【００１８】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５と、サイドキー１６とを含んで構成される。操作キー群１１を構成する各キーそれぞれには、携帯電話機１における開閉状態、各種モードや起動されているアプリケーションの種類等に応じて、それぞれ所定の機能が割り当てられる（キー・アサイン）。そして、使用者により各キーが押圧されることにより、押圧時において各キーに割り当てられている機能に応じた動作が携帯電話機１において実行される。
【００１９】
音声入力部１２は、操作部側筐体２の長手方向における連結部４側と反対の外端部側に配置される。つまり、音声入力部１２は、携帯電話機１が開状態において一方の外端部側に配置される。
【００２０】
操作部側筐体２における一方側の側面には、外部機器（例えば、ホスト装置）と通信を行うためのインターフェース（図示せず）と、外部メモリの挿入及び取り出しが行われるインターフェース（図示せず）とが配置される。各インターフェースは、不使用時にはキャップにより覆われる。操作部側筐体２における他方側の側面には、所定の機能が割り当てられたサイドキー１６が配置される。
【００２１】
表示部側筐体３は、表示部側内面３Ａと、表示部側外面３Ｂとを有する。表示部側内面３Ａは、携帯電話機１が閉状態において操作部側筐体２の操作部側内面２Ａと対向して配置される面である。
表示部側筐体３は、外面（外郭）がフロントパネル３ａと、フロントケース３ｂと、リアケース３ｃとにより構成される。
表示部側筐体３には、メイン表示部２１と、サブ表示部２２と、通話の相手側の音声を出力する音声出力部２５とが外部に露出して配置される。
【００２２】
メイン表示部２１は、表示部側筐体３における表示部側内面３Ａに配置される。メイン表示部２１は、文字情報や画像情報等の各種情報を表示可能に構成される。メイン表示部２１は、携帯電話機１が開状態において、使用者により視認される表示部である。
【００２３】
サブ表示部２２は、表示部側筐体３における表示部側外面３Ｂに配置される。サブ表示部２２は、メイン表示部２１より表示領域が小さい表示部である。サブ表示部２２は、文字情報や画像情報等の各種情報を表示可能に構成される。サブ表示部２２は、携帯電話機１が閉状態において、使用者により視認される表示部である。
【００２４】
音声出力部２５は、表示部側筐体３における表示部側内面３Ａに配置される。音声出力部２５は、表示部側筐体３の長手方向における連結部４側と反対の外端部側に配置される。つまり、音声出力部２５は、携帯電話機１が開状態において他方の外端部側に配置される。
【００２５】
連結部４は、開閉ヒンジ機構を有して構成される。連結部４は、操作部側筐体２の上端部と表示部側筐体３の下端部との間に配置される。連結部４は、操作部側筐体２と表示部側筐体３とを互いに回動可能に連結する。詳細には、連結部４は、操作部側筐体２と表示部側筐体３とをヒンジ機構における回動軸Ｚを中心に回動可能に連結する。
【００２６】
次いで、図２及び図３により、携帯電話機１を構成する基本的な部材について説明する。図２は、操作部側筐体２を構成する部材を説明する分解斜視図である。図３は、表示部側筐体３を構成する部材を説明する分解斜視図である。
【００２７】
図２に示すように、操作部側筐体２は、キー構造部４０と、サイドキー構造部４１と、フロントケース２ａ（第１ケース部材）と、キー基板５０と、ケース体６０と、回路基板７０と、アンテナ部９０と、防水用パッキン９５と、リアケース２ｂ（第２ケース部材）と、バッテリ８０と、バッテリカバー２ｃとを備える。また、操作部側筐体２は、内部に操作部側筐体２を振動させるバイブレータ部（不図示）を有する。
【００２８】
操作部側筐体２における外面（外郭）は、フロントケース２ａとリアケース２ｂとが互いの凹状の内側面が向き合うように配置され、互いの外周縁が重なり合うようにして結合されると共に、リアケース２ｂにバッテリカバー２ｃが装着されることで形成される。
【００２９】
キー構造部４０は、フロントケース２ａの外面側に配置される。キー基板５０と、ケース体６０と、回路基板７０と、アンテナ部９０と、防水用パッキン９５と、バッテリ８０とは、フロントケース２ａとリアケース２ｂとにより形成された内部空間（操作部側筐体２の内部）に配置（内蔵）される。サイドキー構造部４１は、フロントケース２ａの側壁２００と、側壁２００の外側に配置されるリアケース２ｂの側壁２５０との間に配置される。
【００３０】
フロントケース２ａには、開口部１４ａと、開口部１４ａの外縁に形成される載置部１４ｃとが形成される。
載置部１４ｃには、キー構造部４０が載置される。
開口部１４ａは、載置部１４ｃに載置されるキー構造部４０と、キー基板５０（第１キー基板５０Ａ）とが当接した状態で積層配置可能となるよう形成される。
【００３１】
また、フロントケース２ａには、サイドキー１６用の挿通孔２１０（第１貫通孔）が形成される（図４参照）。挿通孔２１０は、後述するサイドキーシート４５の挿入部４７、及び後述するサイドキー部材１６ｂの突起部３００が挿通される貫通孔である。
【００３２】
リアケース２ｂには、バッテリ用開口８１と、サイドキー１６用の切り欠き部２６０とが形成される。
バッテリ用開口８１は、バッテリ８０を取り付けるための開口である。
切り欠き部２６０は、サイドキー１６用の切り欠き部であって、サイドキー部材１６ｂの押圧面３１１（図４参照）を外部に露出させるための切り欠きである。切り欠き部２６０は、フロントケース２ａの一部と共に挿通孔を形成する。該挿通孔には、サイドキー部材１６ｂの押圧部３１０（図４参照）が押圧方向に移動に挿通される。
【００３３】
キー構造部４０は、操作部材４０Ａと、キーシート４０Ｃとを有して構成される。
操作部材４０Ａは、複数のキー操作部材により構成される。具体的には、操作部材４０Ａは、機能設定操作キー部材１３ｂと、入力操作キー部材１４ｂと、決定操作キー部材１５ｂとにより構成される。
操作部材４０Ａを構成する各操作キー部材それぞれは、キーシート４０Ｃにおける所定箇所に接着される。キーシート４０Ｃに接着された各操作キー部材それぞれにおける押圧面は、外部に露出して配置される。
【００３４】
キーシート４０Ｃは、可撓性を有するシリコンゴム製のシート状部材である。キーシート４０Ｃには、複数の凸部が形成される。複数の凸部は、後述するキースイッチ５１、５２、５３それぞれに対応する位置に形成される。
【００３５】
また、サイドキー構造部４１は、サイドキー部材１６ｂ（キー部材）と、サイドキーシート４５（キーシート、ラバーシート）とを有して構成される。また、サイドキー構造部４１は、サイドキー部材１６ｂとサイドキーシート４５との間に配置されるスポンジ部材（弾性部材）を有する（図４参照）。
サイドキー構造部４１及びサイドキー構造部４１を構成する各部材等については、後に詳述する。
【００３６】
キー基板５０は、第１キー基板５０Ａと、第２キー基板５０Ｂ（キー基板）とを有する。
第１キー基板５０Ａは、キー構造部４０におけるキーシート４０Ｃ側の面である第１面５０ａに配置される複数のキースイッチ５１、５２、５３を有する。
複数のキースイッチ５１、５２、５３それぞれは、各操作部材４０Ａに対応する位置に配置される。キースイッチ５１、５２、５３は、椀状に湾曲して立体的に形成された金属板のメタルドームと、スイッチ端子（図示せず）とを有する。メタルドームは、その椀状形状の頂点が押圧されると、第１キー基板５０Ａの表面に印刷された電気回路（図示せず）に形成されるスイッチ端子に接触して電気的に導通するように構成される。
【００３７】
第２キー基板５０Ｂは、サイドキー１６用のキー基板である。第２キー基板５０Ｂは、第１キー基板５０Ａにおける側方（短手方向）に延出して形成される。第２キー基板５０Ｂは、第１キー基板５０Ａとの連結部が折り曲げられて、第１キー基板５０Ａと略直交するように配置される。
第２キー基板５０Ｂは、サイドキーシート４５側の面に配置されるサイドキースイッチ５５、５５（スイッチ部）を有する。サイドキースイッチ５５、５５の構成は、キースイッチ５１、５２、５３の構成と同様である。
【００３８】
ケース体６０は、薄型の略直方体形状であって一の広い面が開口した形状を有する導電性の部材である。
ケース体６０は、回路基板７０に対向して配置される平板部６１と、平板部６１における回路基板７０側の面に対して略垂直に形成されるリブ６２（壁部）を有する。平板部６１には、キー基板５０における第１キー基板５０Ａが載置される。リブ６２は、回路基板７０に実装される各種電子部品のうち最も高さのある電子部品の高さと同等又はそれよりも十分に高くなるよう形成される。リブ６２は、平板部６１の周縁及び内側に、基準電位部を構成する基準電位パターン層７５に対応するように形成される。
また、リブ６２は、サイドキーシート４５が載置（面当接、積層配置）される延出部６２ａを有する。
【００３９】
また、ケース体６０は、シールドケースとして機能する。ケース体６０は、外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出（伝播）されるノイズを遮蔽して、他の電子部品やアンテナに接続される受信回路等に作用することを抑制する。
なお、ケース体６０は、金属により形成されるほか、骨格が樹脂により形成され、その表面に導体膜が形成されたものでもよい。
【００４０】
回路基板７０は、平板状の基板部７１と、基板部７１における第１面７０ａ側に実装される電子部品及び各種回路ブロックと、基板部７１における第１面７０ａの表面に形成される基準電位パターン層７５（グランドパターン層）とを有する。
基板部７１に実装される電子は、例えば、アンテナ部９０が送受信する信号を処理する信号処理部を含む電子部品等が例示される。また、回路ブロックは、例えば、ＲＦ（Ｒａｄｉｏ  Ｆｒｅｑｕｅｎｃｙ）回路や電源回路が例示される。
基準電位パターン層７５は、基板部７１の外縁や、各回路ブロックを区画する箇所に形成される。基準電位パターン層７５は、例えば、回路基板７０における第１面７０ａの表面に導電性の部材を印刷することで形成される。
【００４１】
アンテナ部９０は、基台上に所定形状のアンテナエレメントが配置されることにより構成さる。アンテナ部９０は、携帯電話機１における連結部４側と反対の端部側に配置される。アンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００４２】
防水用パッキン９５は、フロントケース２ａの外縁とリアケース２ｂの外縁とに挟まれて配置される。防水用パッキン９５は、環状であってフロントケース２ａ及びリアケース２ｂの外縁に対応した形状である。防水用パッキン９５は、シリコンゴム等の弾性材により構成される。
【００４３】
バッテリ８０は、リアケース２ｂに形成されたバッテリ用開口８１を介して操作部側筐体２に収容配置される。
バッテリカバー２ｃは、リアケース２ｂにおける外面側からバッテリ８０を覆うように配置される。
【００４４】
操作部側筐体２には、上述した部材のほか、音声入力部１２を構成するマイク等の部材が内部に収容配置される。
【００４５】
図３に示すように、表示部側筐体３は、フロントパネル３ａと、メイン表示部２１と、フロントケース３ｂと、表示部側基板８６と、サブ表示部２２と、リアケース３ｃとを備える。
【００４６】
表示部側筐体３における外面（外郭）は、フロントケース３ｂとリアケース３ｃとが互いの外周縁が重なり合うようにして結合されると共に、フロントケース３ｂにフロントパネル３ａが取り付けられることで形成される。
【００４７】
フロントパネル３ａは、平板状の光透過性部材である。フロントパネル３ａは、メイン表示部２１を保護すると共に、メイン表示部２１により表示された画像等を外部に透過させる部材である。
【００４８】
メイン表示部２１は、液晶パネルと、液晶パネルを駆動する駆動回路と、液晶パネルの背面側から光を照射するバックライト等の光源部とを含んで構成される。
メイン表示部２１は、フロントケース３ｂにおけるフロントパネル３ａ側に配置される。
【００４９】
フロントケース３ｂは、板金部材を樹脂インサート成型することにより形成されている。フロントケース３ｂを構成する板金部材は、フロントケース３ｂの強度を向上させると共に、シールド部材として機能する。
【００５０】
表示部側基板８６は、平板状の部材であって、メイン表示部２１やサブ表示部２２等と電気的に接続される部材である。
本実施形態において、表示部側基板８６には、中央部に開口部８６ａが形成される。開口部８６ａには、サブ表示部２２が（挿通）配置される。
【００５１】
サブ表示部２２は、フロントケース３ｂにおけるリアケース３ｃ側に積層配置される。
サブ表示部２２は、液晶パネルと、液晶パネルを駆動する駆動回路と、液晶パネルの背面側から光を照射するバックライト等の光源部とを含んで構成される。
サブ表示部２２は、表示領域がメイン表示部２１の表示領域より小さい表示部である。
サブ表示部２２は、表示部側筐体３の厚さ方向において、表示領域がメイン表示部２１の表示領域と反対側を向いて配置される。
【００５２】
リアケース３ｃは、フロントケース３ｂと共に表示部側基板８６やサブ表示部２２を収容する。
操作部側筐体２には、上述した部材のほか、音声入力部１２等の部材が内部に収容配置される。
【００５３】
続けて、図４により、サイドキー１６の構造について説明する。図４は、図１におけるＡ―Ａ断面図である。
図４に示すように、フロントケース２ａの内側である内部空間５００には、ケース体６０のリブ６２を構成する延出部６２ａと、キー基板５０を構成する第２キー基板５０Ｂとが収容配置される。言い換えると、フロントケース２ａにおける側壁２００の内側には、ケース体６０のリブ６２を構成する延出部６２ａと、キー基板５０を構成する第２キー基板５０Ｂが配置される。
【００５４】
また、フロントケース２ａとリアケース２ｂとの間に形成された中空空間５１０には、サイドキーシート４５と、サイドキー部材１６ｂ（一部）と、スポンジ部材４００とが収容配置される。言い換えると、フロントケース２ａにおける側壁２００とリアケース２ｂの側壁２５０との間には、サイドキーシート４５と、サイドキー部材１６ｂ（一部）と、スポンジ部材４００とが配置される。
【００５５】
また、リアケース２ｂの外側である外部空間５２０には、サイドキー部材１６ｂの押圧面３１１を含む押圧部３１０の一部が配置される。言い換えると、リアケース２ｂの外側には、サイドキー部材１６ｂの押圧面３１１が露出して配置される。
【００５６】
図４に示すように、延出部６２ａは、フロントケース２ａにおける側壁２００の内側に、側壁２００の内面と対向して配置される。
延出部６２ａは、側壁２００側に形成される載置部６２ｂを有する。
載置部６２ｂには、第２キー基板５０Ｂが載置される。
【００５７】
図４に示すように、第２キー基板５０Ｂは、延出部６２ａに形成された載置部６２ｂに載置される。第２キー基板５０Ｂは、サイドキースイッチ５５が側壁２００側を向くように載置部６２ｂに載置される。詳細には、第２キー基板５０Ｂは、サイドキースイッチ５５が側壁２００に形成された挿通孔２１０に対向するように載置部６２ｂに配置される。
【００５８】
図４に示すように、サイドキーシート４５は、平面部４６と、挿入部４７とを有する。
平面部４６は、フロントケース２ａの側壁２００とサイドキー部材１６ｂとの間に配置される平面状の部分である。
平面部４６は、側壁２００に所定の接着材（部材）により接着される。
平面部４６は、後述するサイドキー部材１６ｂ（押圧部３１０）から離間して配置される。
平面部４６とサイドキー部材１６ｂ（押圧部３１０）との間には、スポンジ部材４００が配置される。
【００５９】
挿入部４７は、サイドキースイッチ５５側に突出して形成される。挿入部４７は、側壁２００に形成された挿通孔２１０に挿入配置される。
挿入部４７は、サイドキー部材１６ｂ側に形成された円筒状の中空部４７ａを有する。中空部４７ａには、サイドキー部材１６ｂの突起部３００が挿入配置される。
つまり、挿入部４７は、先端部がサイドキースイッチ５５と突起部３００との間に配置された状態で、挿通孔２１０に挿入配置される。
【００６０】
サイドキー部材１６ｂは、フロントケース２ａの側壁２００とリアケース２ｂの側壁２５０との間に一部が配置されると共に、矢印Ｄ方向に移動可能に保持される。
サイドキー部材１６ｂは、突起部３００と、押圧部３１０と、抜け止め部３２０とを有する。
【００６１】
突起部３００は、サイドキースイッチ５５側に突出して形成される。突起部３００は、押圧部３１０における内面３１２側に該内面３１２から突出して形成される。
突起部３００は、側壁２００に形成された挿通孔２１０に挿入配置される。具体的には、突起部３００は、挿通孔２１０に挿入配置されたサイドキーシート４５の挿入部４７に形成される中空部４７ａに挿入配置される。突起部３００は、先端部がサイドキーシート４５の挿入部４７を挟んで、サイドキースイッチ５５に対向して配置される。
突起部３００は、サイドキーシート４５の挿入部４７を介して、サイドキースイッチ５５を押圧（押下）する部分である。
【００６２】
ここで、突起部３００は、先端部がサイドキーシート４５（中空部４７ａの底面）から離間して配置される。詳細には、サイドキー部材１６ｂにおける押圧面３１１が外部から押圧されていない状態において、突起部３００は、サイドキーシート４５（中空部４７ａの底面）から離間して配置される。つまり、突起部３００は、後述するスポンジ部材４００によりサイドキー部材１６ｂが外部空間５２０側に付勢されることで、先端がサイドキーシート４５（中空部４７ａの底面）から離間して配置される。
【００６３】
押圧部３１０は、突起部３００における外部空間５２０側に配置される。
押圧部３１０は、リアケース２ｂの側壁２５０に形成された切り欠き部２６０に挿通して配置される。押圧部３１０は、一部が切り欠き部２６０に挿通されると共に、一部が外部空間５２０に露出して配置される。
また、押圧部３１０は、サイドキー部材１６ｂが内部空間５００側に移動された場合、一部が中空空間５１０に配置されるよう移動する。
【００６４】
押圧部３１０は、押圧面３１１を有する。押圧面３１１は、ユーザにより押圧される部分である。押圧面３１１は、外部空間５２０に配置される面である。押圧面３１１は、切り欠き部２６０を介して外部空間５２０に常時露出して配置される。
【００６５】
後述の通り、押圧部３１０における内面３１２側には、凹部３１５が形成される。凹部３１５には、弾性力を有するように圧縮されたスポンジ部材４００が配置される。
また、押圧部３１０における押圧面３１１と反対側の内面３１２は、サイドキーシート４５の平面部４６から離間して配置される。詳細には、サイドキー部材１６ｂにおける押圧面３１１が外部から押圧されていない状態において、押圧部３１０における内面３１２は、サイドキーシート４５（平面部４６の表面）から離間して配置される。つまり、押圧部３１０における内面３１２は、後述するスポンジ部材４００によりサイドキー部材１６ｂが外部空間５２０側に付勢されることで、サイドキーシート４５（平面部４６の表面）から離間して配置される。この離間した距離は、サイドキー部材１６ｂのストローク長さと同等（又は長さ以下）である。
【００６６】
抜け止め部３２０は、押圧部３１０の外縁に形成される。抜け止め部３２０は、押圧部３１０の内面３１２側に形成される。抜け止め部３２０は、押圧部３１０の外縁にツバ状に形成される。抜け止め部３２０は、リアケース２ｂにおける側壁２５０に対してサイドキーシート４５側に配置される。
抜け止め部３２０は、切り欠き部２６０の径よりも大きい径を有する。
抜け止め部３２０は、リアケース２ｂの側壁２５０に当接して、サイドキー部材１６ｂが外部空間５２０に抜け出ることを防止するための部材である。
【００６７】
また、抜け止め部３２０は、リアケース２ｂの側壁２５０に当接して配置される。サイドキー部材１６ｂにおける押圧面３１１が外部から押圧されていない状態において、抜け止め部３２０は、リアケース２ｂの側壁２５０に当接して配置される。つまり、抜け止め部３２０は、後述するスポンジ部材４００によりサイドキー部材１６ｂが外部空間５２０側に付勢されることで、リアケース２ｂの側壁２５０に当接して配置される。
【００６８】
凹部３１５は、サイドキー部材１６ｂの内面３１２側に形成される。凹部３１５は、内面３１２から押圧面３１１側に窪んだ部分である。
凹部３１５は、スポンジ部材４００の一部が収容配置される部分である。
凹部３１５の深さは、スポンジ部材４００の材質、厚さ、設定されるキー押圧力の強さによって調整される。
【００６９】
スポンジ部材４００は、サイドキーシート４５における平面部４６とサイドキー部材１６ｂとの間に弾性力を有した状態で配置される。
スポンジ部材４００は、平面部４６とサイドキー部材１６ｂの内面３１２との間に配置される。具体的には、スポンジ部材４００は、一部が凹部３１５に収容配置され、凹部３１５の底面と平面部４６の表面とに挟まれて配置される。
スポンジ部材４００は、凹部３１５の底面と平面部４６の表面とにより（自然状態のサイズを基準に）圧縮され、弾性力を有した状態で配置される。
【００７０】
弾性力を有して配置されたスポンジ部材４００は、サイドキー部材１６ｂを外部空間５２０側に向かうよう付勢する。詳細には、弾性力を有して配置されたスポンジ部材４００は、サイドキー部材１６ｂを抜け止め部３２０がリアケース２ｂの側壁２５０における内面に当接した状態になるよう付勢する。
これにより、サイドキー部材１６ｂは、抜け止め部３２０がリアケース２ｂの側壁２５０の内面に当接すると共に、突起部３００がサイドキーシート４５（中空部４７ａの底面）から離間した状態で配置される。
【００７１】
続けて、図４から図６により、携帯電話機１における作用について説明する。図５は、携帯電話機１における作用を説明する断面図である。図６は、携帯電話機１における作用と説明する断面図である。
【００７２】
図４に示すように、通常状態（サイドキー部材１６ｂにおける押圧面３１１が外部から押圧されていない状態）において、サイドキー部材１６ｂは、スポンジ部材４００の弾性力によって、抜け止め部３２０がリアケース２ｂの側壁２５０の内面に当接すると共に、突起部３００がサイドキーシート４５（中空部４７ａの底面）から離間した状態で配置される。
【００７３】
この通常状態において、操作部側筐体２の内部に配置されたバイブレータ部（不図示）により該操作部側筐体２に振動が生じた場合、抜け止め部３２０がリアケース２ｂの側壁２５０の内面に当接しているので、ビビリ音は発生しない。
【００７４】
ここで、突起部３００がサイドキーシート４５（中空部４７ａの底面）から離間しているので、製造時等に生じた寸法誤差を原因とする（通常状態において）サイドキー１６ｂがサイドキースイッチ５５を押下するという問題の発生を抑制できる。
【００７５】
また、サイドキー部材１６ｂがスポンジ部材４００の弾性力によって抜け止め部３２０がリアケース２ｂの側壁２５０の内面に当接するよう付勢されるので、製造時に生じた寸法誤差により抜け止め部３２０がリアケース２ｂの側壁２５０から離間することが、抑制される。つまり、携帯電話機１は、製造誤差が生じた場合でもビビリ音の発生を抑制できる。
【００７６】
次いで、図５に示すように、ユーザは、サイドキー部材１６ｂの押圧面３１１を矢印Ｆ１方向に押圧（押下）する。
押圧面３１１を矢印Ｆ１方向に押圧（押下）されたサイドキー部材１６ｂは、矢印Ｄ１方向に移動される。サイドキー部材１６ｂは、スポンジ部材４００を圧縮しながら矢印Ｄ１方向に移動される。
【００７７】
そして、サイドキー部材１６ｂにおける突起部３００は、中空部４７ａの底面（サイドキーシート４５）に当接すると共に底面の部分を押し下げる。
これにより、突起部３００は、サイドキーシート４５における中空部４７ａに底面に対応する部分を介して、サイドキースイッチ５５を押圧（押下）する。
【００７８】
ここで、サイドキー部材１６ｂを矢印Ｄ１方向に移動させるために必要な押圧力の強さは、スポンジ部材４００により生じている弾性力の強さと同じである。
スポンジ部材４００は、サイドキー部材１６ｂに形成された凹部３１５に一部が収容された状態で、サイドキー部材１６ｂとサイドキーシート４５との間に配置される。
仮に、凹部３１５が形成されていないサイドキー部材１６ｂを用いた場合、サイドキー部材１６ｂがサイドキーシート４５に当接する位置まで押下されると、スポンジ部材４００が圧縮限界又は圧縮限界に近い状態になり、サイドキースイッチ５５を押下するためには、非常に強い押圧力が必要になる場合がある。
本実施形態においては、サイドキー部材１６ｂにスポンジの一部が収容される凹部３１５が形成されているので、押圧力は、スポンジ部材４００の高さが凹部３１５の深さになったときの弾性力が上限となる。よって、携帯電話機１は、サイドキー部材１６ｂの押圧力が過剰に大きくなることを抑制できる。
【００７９】
続けて、図６に示すように、ユーザは、サイドキー部材１６ｂに対する押圧を解除する（例えば、押圧操作していた指を押圧面３１１から離す）。押圧が解除されたサイドキー部材１６ｂは、スポンジ部材４００の弾性力により、矢印Ｄ２方向に移動される。そして、サイドキー部材１６ｂは、初期状態にもどる。
つまり、サイドキー部材１６ｂは、スポンジ部材４００の弾性力によって、抜け止め部３２０がリアケース２ｂの側壁２５０の内面に当接すると共に、突起部３００がサイドキーシート４５（中空部４７ａの底面）から離間した状態となる位置も戻る。
これにより、ユーザによる押圧が解除された場合でも、サイドキー部材１６ｂは自動的に初期状態にもどるので、ビビリ音の発生等が定常的に好適に抑制される。
【００８０】
本実施形態によれば、スポンジ部材４００の弾性力によって抜け止め部３２０がリアケース２ｂの側壁２５０の内面に常時当接するように構成されるので、携帯電話機１は、バイブレータ部等により発生された振動によるビビリ音（ビリツキ音）の発生を抑制できる。
【００８１】
また、本実施形態によれば、携帯電話機１は、構成部材等に寸法誤差が生じた場合であってもスポンジ部材４００の弾性力によって抜け止め部３２０がリアケース２ｂの側壁２５０の内面に常時当接するように構成されるので、ビビリ音の発生を好適に抑制できる。
【００８２】
また、本実施形態によれば、突起部３００がサイドキーシート４５（中空部４７ａの底面）から離間した状態で配置されるので、携帯電話機１は、構成部材等の寸法誤差が生じた場合に発生するキースイッチの意図しない押下を抑制できる。
【００８３】
また、本実施形態によれば、上述の通り、寸法誤差により生じる問題の発生が抑制されるので、携帯電話機１の設計や製造において、従来よりも寸法公差を大きくすることができる。これにより、設計の自由度が向上する。また、これにより、製造への負担が軽減される。
【００８４】
また、本実施形態によれば、サイドキー部材１６ｂにスポンジの一部が収容される凹部３１５が形成されているので、押圧力は、スポンジ部材４００の高さが凹部３１５の深さになったときの弾性力が上限となる。これにより、携帯電話機１は、サイドキー部材１６ｂの押圧力が過剰に大きくなることを抑制できる。
また、本実施形態によれば、凹部３１５に場合に比べて大型化することが抑制される（小型化に寄与する）。
【００８５】
以上、好適な実施形態について説明したが、本発明は上述した実施形態に限定されることなく種々の形態で実施することができる。例えば、本実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８６】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００８７】
また、本実施形態において、サイドキーについて説明しているが、これに限定されない。
また、本実施形態おいて、サイドキー部材における押圧部は、リアケース２ｂに形成された切り欠き部２６０に挿通されている。ここで、サイドキー部材における押圧部が挿通されるのは、切り欠き部に限定されず、リアケース２ｂに形成された貫通孔であってもよい。
【００８８】
また、本実施形態において、サイドキー部材１６ｂの突起部３００は、サイドキーシート４５（中空部４７ａの底面）から離間しているが、これに限定されず、（過剰でない範囲で）当接していてもよい。
【００８９】
また、本実施形態において、弾性部材としてスポンジ部材について説明しているが、弾性部材はこれに限定されない。弾性部材として、例えば、天然ゴム、合成ゴム、ウレタンゴム、シリコンゴム、フッ素ゴム、ウレタンゴムや各種バネ部材等を用いてもよい。
【００９０】
また、本実施形態において、携帯電話機１は、サイドキーシート４５を有しているが、これに限定されず、サイドキーシート４５を有しなくてもよい。
つまり、携帯電話機１（携帯電子機器）は、第１貫通孔が形成された第１ケース部材と、前記第１ケース部材に収容されるキー基板と、前記キー基板に実装されると共に、前記貫通孔に対向して配置されるスイッチ部と、前記第１ケース部材における外側に配置され、第２貫通孔又は切り欠き部が形成された第２ケース部材と、前記第１ケース部材と前記第２ケース部材との間に配置され、前記第１貫通孔に挿入される突起部と、前記第２貫通孔又は切り欠き部を介して外部に露出される押圧面を有する押圧部と、前記押圧部の外縁に形成され、前記第２ケース部材における内面に当接可能な抜け止め部と、を有するキー部材と、前記第１ケース部材と前記キー部材との間に弾性力を有した状態で配置され、前記抜け止め部が前記第２ケース部材における内面に当接した状態となるよう前記キー部材を前記第２ケース部材における内面に向かうよう付勢する弾性部材と、を備える構成であってもよい。
【符号の説明】
【００９１】
１          携帯電話機
２          操作部側筐体
２ａ        フロントケース
２ｂ        リアケース
３          表示部側筐体
４          連結部
１６ｂ      サイドキー部材
４５        サイドキーシート
４６        平面部
４７        挿入部
４７ａ      中空部
５０Ａ      第１キー基板
５０Ｂ      第２キー基板
５５        サイドキースイッチ
６０        ケース体
６２        リブ
６２ａ      延出部
２００      側壁
２１０      挿通孔
２５０      側壁
２６０      切り欠き部
３００      突起部
３１０      押圧部
３１１      押圧面
３１２      内面
３１５      凹部
３２０      抜け止め部
４００      スポンジ部材
【図１】
2012114609.tif 000003
【図２】
2012114609.tif 000004
【図３】
2012114609.tif 000005
【図４】
2012114609.tif 000006
【図５】
2012114609.tif 000007
【図６】
2012114609.tif 000008